(57)【要約】      （修正有）【課題】電子棚札等の表示体を簡単な操作で上下方向にスライド可能にし、数段階の固定位置を有する表示用ホルダを提供する。【解決手段】表示体取付け部材１と表示体取付け部材１の裏面に嵌合し、上下方向にスライドして固定位置が決定されるスライド部材２とからなり、表示体取付け部材１に対するスライド部材２の上下方向のスライドを案内するガイド手段２２と、スライド部材２の上下方向における固定位置を定める位置決め手段とを有し、スライド部材２には、先端に前方方向に突出する突起４を有する板バネ部材３を、表示体取付け部材１には、上側壁面と下側壁面が底側から上側に向けて上り傾斜の凹部をそれぞれ付設し、板バネ部材３の突起４と凹部の係合により位置決めのロックを行なう表示用ホルダ１０。【選択図】図３
0003148719.tif 000002
【実用新案登録請求の範囲】
【請求項１】
表示体取付け部材と該表示体取付け部材の裏面に嵌合し、上下方向にスライドして固定位置が決定されるスライド部材とからなり、
該表示体取付け部材に対する該スライド部材の上下方向のスライドを案内するガイド手段と、
該スライド部材の上下方向における固定位置を定める位置決め手段とを有し、
該スライド部材には、先端に前方方向に突出する突起を有する板バネ部材を、該表示体取付け部材には、上側壁面と下側壁面が底側から底側の反対方向に向けて上り傾斜の凹部をそれぞれ付設し、該板バネ部材の突起と該凹部の係合により位置決めのロックを行なうことを特徴とする表示用ホルダ。
【請求項２】
該表示体取付け部材は、厚みの薄いケース状物であり、該ケース内の左右方向の中央部に上下方向に延びる板状の凹部形成基台を備え、両側の上下方向に延びる係合溝を備えたものであり、該スライド部材は、該凹部形成基台と対峙する略板状の本体部と該本体部の両側に形成される該係合溝と係合する鍔部を備える薄状物であり、該凹部形成基部には複数の凹部が上下方向に亘って形成され、該本体部には該板バネ部材が形成されることを特徴とする請求項１記載の表示用ホルダ。
【請求項３】
該表示体取付け部材は、板状の本体部の両側に上下方向に延びる係合溝を備えた、厚みの薄いケース状物であり、該スライド部材は、該板状の本体部と対峙する略板状の本体部と該係合溝と係合する鍔部を備えた薄状物であり、該板状の本体部には複数の凹部が上下方向に亘って形成され、該スライド部材の本体部には該板バネ部材が形成されることを特徴とする請求項１記載の表示用ホルダ。
【請求項４】
該ガイド手段は、該表示体取付け部材の係合溝と該スライド部材の鍔部であることを特徴とする請求項１記載の表示用ホルダ。
【請求項５】
該位置決め手段は、該凹部形成基台に上下方向に亘り所定のピッチ又は任意のピッチで形成される複数の凹部であることを特徴とする請求項１記載の表示用ホルダ。
【請求項６】
該凹部に係合する板バネ部材は、該スライド部材に対して上方向又は下方向に力を作用させることで、後方側へ弾性変形しつつ、該突起が凹部の上側壁面または下側壁面を乗り上げ、該凹部との係合が外れるものであることを特徴とする請求項１記載の表示用ホルダ。
【請求項７】
樹脂製であることを特徴とする請求項１〜６のいずれか１項に記載の表示用ホルダ。
【請求項８】
厚みが１５ｍｍ以下であることを特徴とする請求項１〜７のいずれか１項に記載の表示用ホルダ。
【考案の詳細な説明】
【技術分野】
【０００１】
本考案は表示用ホルダ、詳しくはスーパーマーケットなどの商品陳列棚に商品の価格等を表示する表示板を装着するために使用される表示用ホルダに関するものである。
【背景技術】
【０００２】
商品の価格等を表示する表示体を装着するために使用される表示用ホルダは、商品陳列棚に設置される際、顧客の目から表示部が見易いようにする必要がある。通常、商品陳列棚は、上下多段であるため、表示部の角度を調節自在とする機能を付与したものが要求される。
【０００３】
特開２００３−２３３３２３号公報には、前記表示本体の表示角度を調節するようにした表示用ホルダが開示されている。この表示用ホルダによれば、陳列棚等に設けられた取付部材に取付パーツを介して回動自在に取り付けられた表示本体の表示角度を調節する際に、スライドアダプタを押し上げることによって取付パーツの係止片と弾性支持片の係止溝との係合を解除して、表示本体をフリーの状態で回動し、所望の表示角度に至ったときにスライドアダプタの押上げをはなすことによって所望の係止溝が取付パーツの係止片に落とし込まれて係止され、これによって表示本体を所望の角度に調節した固定状態にすることができる。
【０００４】
近年、商品情報が多量であることから、表示体の上方または下方に所定高さの情報記載カードを装着したものが知られている。この場合、後ろの陳列商品を隠してしまうことがある。また、電子棚札そのものが大型の場合、同様に後ろの陳列商品を隠してしまうことがある。従って、特に箱状の表示体を上下方向にスライド可能にする表示用ホルダの開発が望まれていた。
【０００５】
また、陳列棚の前面に設置される表示体は、厚みが大き過ぎると、買い物客に触れて表示方向が変わったり、陳列棚から脱落したりすることがあり、可能な限り、薄くすることが望まれていた。
【特許文献１】特開２００３−２３３３２３号公報（請求項１）
【考案の開示】
【考案が解決しようとする課題】
【０００６】
従って、本考案の目的は、表示体を簡単な操作で上下方向にスライド可能にする表示用ホルダを提供することにあり、また、更に可能な限り薄くしたスライド機能付き表示用ホルダを提供することにある。
【課題を解決するための手段】
【０００７】
すなわち、本考案は、上記課題を解決するものであって、表示体取付け部材と該表示体取付け部材の裏面に嵌合し、上下方向にスライドして固定位置が決定されるスライド部材とからなり、該表示体取付け部材に対する該スライド部材の上下方向のスライドを案内するガイド手段と、該スライド部材の上下方向における固定位置を定める位置決め手段とを有し、該スライド部材には、先端に前方方向に突出する突起を有する板バネ部材を、該表示体取付け部材には、上側壁面と下側壁面が底側から底側の反対方向に向けて上り傾斜の凹部をそれぞれ付設し、該板バネ部材の突起と該凹部の係合により位置決めのロックを行なうことを特徴とする表示用ホルダを提供するものである。
【考案の効果】
【０００８】
本考案の表示用ホルダによれば、スライド部材に上方向又は下方向に力を作用させることで、板バネ部材が後方側へ弾性変形しつつ、該板バネ部材の突起が凹部の上側壁面または下側壁面を乗り上げ、該凹部との係合が外れることで位置決めのロックを解除し、そのまま上方向又は下方向にスライド部材をスライドさせ、隣接する凹部の位置に該突起が来ると、板バネ部材の形状が復元して該板バネ部材の突起と凹部が係合してロックされるため、簡単な操作で上下方向にスライド可能であると共に、固定位置を数段階に変更できる。また、本考案の表示用ホルダは、薄物部材の２つの組合わせ体にスライド手段、ロック手段及び位置決め手段を装着させたため、表示体を装着した後も厚みは薄く、買い物客の接触による表示角度が変化したりすることはない。
【考案を実施するための最良の形態】
【０００９】
次ぎに本考案の第１の実施の形態における表示ホルダを図１〜８を参照して説明する。図１は本実施の形態例の表示ホルダの斜視図、図２は図１の表示ホルダを裏から見た斜視図、図３は図１の表示ホルダの分解斜視図、図４は図３の表示ホルダの裏から見た分解斜視図、図５は図１の表示ホルダ（ロック状態）の断面図、図６はアンロック状態の操作方法を説明する図、図７は図６の表示ホルダ（アンロック状態）の断面図、図８（Ａ）はスライド部材が最下位置にある表示ホルダの断面図、（Ｂ）はスライド部材が（Ａ）より上側位置にある表示ホルダの断面図、（Ｃ）はスライド部材が（Ｂ）より上側位置にある表示ホルダの断面図をそれぞれ示す。本明細書において、特に断りがない場合、「上」、「下」、「前」、「後」は図１の状態の表面１１１を正面に向けた位置を言う。
【００１０】
表示ホルダ１０は、表示体取付け部材１と、表示体取付け部材１の裏面に嵌合して、上下方向にスライドして固定位置が決定されるスライド部材２とからなる。表示体取付け部材１は、厚みの薄い（浅底の）ケース状物１１であり、ケース内（裏面）の左右方向の中央部に上下方向に延びる板状の凹部形成基台１６を備え、両側に上下方向に延びる係合溝１２を備えたものである。すなわち、凹部形成基台１６は、ケースの深さよりやや小さい高さを有し、またケース内の幅方向の長さの概ね半分程度の幅寸法を有する。これにより、表面に形成される電子棚札などの表示体を取着する突起１３の突出寸法を抑制することができ、且つ凹部を形成することができる。また、凹部形成基台１６の両側に空間が形成されることで、スライド部材２の取り付けが容易となる。
【００１１】
凹部形成基台１６には、上下方向に亘り且つ同軸上に所定のピッチで３個の凹部５が形成されている。凹部５は位置決め手段であり、この凹部５にスライド部材２の突起４が係合して表示体取付け部材１に対するスライド部材２の固定位置が決定される。また、凹部５は上側壁面５１と下側壁面５２が底側から底側とは反対方向に向けて上り傾斜である。これにより、スライド部材２の突起４の係合及び係合解除を容易にしている。凹部５の上側壁面５１と下側壁面５２が垂直面であると、突起４の係合を解くことはできない。凹部５の設置間隔は適宜決定されるものであり、また隣接する凹部５間のピッチはそれぞれ異なるものであってもよい。また、凹部５の設置数は、２個又は４個以上であってもよい。
【００１２】
表示体取付け部材１のケース内の左右方向の両側には、上下方向に延びる係合溝１２を備えている。係合溝１２は、スライド部材２の鍔部２２が嵌め込まれて、スライド部材２の上下方向の移動を案内するものである。本例ではケースの底面１８とケースの側部材の頂部から内側に延びる３つの係止片１３（両側で６つの係止片）で形成される所定幅と所定深さの矩形状の溝である。なお、係合溝１２の一部を構成する部材としては、係止片１３に限定されず、途切れる部分のない上下方向に延びる係止板であってもよい。
【００１３】
なお、係合溝１２を構成する係止片１３の一方の側（図４では右側で、スライド部材２を嵌め込む側）の中間の係止片１３ａは、内側へ延びる突出長さを小さくし、且つ内側にやや下り傾斜としている。これにより、スライド部材２の表示体取付け部材１への嵌め込みを容易にしている。
【００１４】
また、係止片１３ａが形成される表示体取付け部材１の側部材は、２つの切り込み１５により割り部材１９としている。これにより、スライド部材２を表示体取付け部材１に嵌め込む際、割り部材１９を押し広げて弾性変形させるとスライド部材２の挿入の開口を広げるため、嵌合が容易となる。また、スライド部材２の嵌め込み側の上方係止片１３と下方係止片１３間の寸法は、スライド部材２の高さ（上下方向長さ）寸法よりやや大としている。これにより、上方係止片１３と下方係止片１３間の開口がスライド部材２の挿入口となり、円滑な挿入が可能となる。
【００１５】
表示体取付け部材１の表面の中央下方には、板状又は箱状の表示体が取着する矩形断面の突起１３が形成されている。なお、突起１３は、板状又は箱状の表示体を取着するものであればなんでもよく、図面に開示の形態に限定されない。なお、符号１４は係止片１３を形成するに必要となる金型成形用の肉抜きである。
【００１６】
スライド部材２は、凹部形成基台１６と対峙する略板状の本体部２１と本体部２１の両側に形成される係合溝１２と係合する鍔部２２を備える薄状物である。本体部２１を略板状としたのは、本体部２１の裏面に固定側の部材を取着する係合構造２４、本例では上側板状突起部材と両側突起と下側の突起とで係合突起構造を含めたり、板バネ部材の突起４を含めるためである。係合構造２４には、通常陳列棚のレール溝に取り付けられる取着部材が係合する。なお、係合構造２４はこれに限定されず、固定側部材に取り付けられる公知の部材を使用できる。鍔部２２は本体部２１の両側部分の裏面に形成され、本体部２１と段差を生じている。スライド部材２は、このような段差構造を採るため、表示体取付け部材１の係合溝１２に係合すると共に、板バネ部材３が表示体取付け部材１の裏面１６に密着してロックを確実にする。
【００１７】
スライド部材２に形成される板バネ部材３は、板状の本体部２１の３方を四角状にくり抜き、下方側のみをくり抜かずに残した矩形状断面の板状物であり、その先端に前方方向に突出する突起４を有する。板バネ部材３は、前方から後方へ力が作用すると板バネ部材３の基部を中心に、後側へ弾性変形すると共に、その作用力を解除すると、元の形状に戻る。これにより、ロックとアンロックが可能となる。
【００１８】
なお、スライド部材２の本体部２１に形成される矩形状の肉抜き（貫通穴）２３は係合構造２４を形成するために必要な金型成形用の穴である。板バネ部材３の突起４の高さ（前後方向の長さ）は０．５〜１．５ｍｍ程度でよい。
【００１９】
本考案の表示用ホルダ１０は、表示体取付け部材１に対するスライド部材２の上下方向のスライドを案内するガイド手段を有する。すなわち、本例において、ガイド手段とは、表示体取付け部材１の係合溝１２とスライド部材２の鍔部２２である。
【００２０】
また、本考案の表示用ホルダ１０は、スライド部材２の上下方向における固定位置を定める位置決め手段を有する。位置決め手段は、凹部形成基台１６に上下方向に亘り所定のピッチで形成される３つの凹部５である。
【００２１】
次ぎの本考案の表示用ホルダ１０の使用方法の一例を説明する。表示体取付け部材１の側部材の一部である割り部材１９側（図４参照）から斜め方向にスライド部材２を挿入する。すなわち、図４中、左側の鍔部２２を凹部形成基台１６の空間を通って左側の係止溝１２に挿入する。この際、右側の鍔部２２は未だ、係止溝１２に挿入できない。この状態において、割り部材１９の端部を指で前方側へ押し広げると同時に、スライド部材２を表示体取付け部材１側に押し込む。そして、板バネ部材３の突起４が凹部５に係合することで、表示体取付け部材１とスライド部材２はロック状態となり固定される。なお、スライド部材２を表示体取付け部材１側に押し込んだ際、板バネ部材３の突起４と凹部５が係合していない場合、スライド部材２を上方又は下方に僅かに移動させることで、表示体取付け部材１とスライド部材２はロック状態となる。図８（Ａ）は、板バネ部材３の突起４と３つの凹部５の最下位置の凹部５ａが係合している状態を示すものである。この状態において、表示体取付け部材１の表面の突起１３に電子棚札などの表示体を設置し、更にスライド部材２の裏面の係合構造２４にＰＯＳレール装着用部材を取り付ければよい。スライド部材２の裏面の係合構造２４にＰＯＳレール装着用部材を取り付けることにより、板バネ部材３の後方側への反りが抑制されるため、ロック状態が保証される。そして、このＰＯＳレール装着用部材をＰＯＳレールに装着すればよい。このような表示用ホルダ１０はＰＯＳレール装着状態において、表示体がＰＯＳレール装着用部より上方側にあり、陳列棚面より高い位置で表示できる。
【００２２】
次いで、表示体の高さ方向の位置を図８（Ａ）の状態より低く、例えば図８（Ｂ）の状態にしたい場合は次のように操作する。すなわち、図８（Ａ）の状態の表示用ホルダ１０をＰＯＳレールから取り外す。次いで、ＰＯＳレール装着用部材を取り外し、次いで、表示体取付け部材１を固定しつつスライド部材２を下から上へ指で押す。この時、突起４が凹部５の上側壁面５１の傾斜に沿って上昇するため、板バネ部材３は後方側へ弾性変形しつつ、突起４と凹部５ａの係合が外れる（図６及び図７参照）。更に、上方へ押すと、突起４が凹部５ｂに係合する（図８（Ｂ））。この状態において、ＰＯＳレール装着用部材をＰＯＳレールに取り付ければよい。
【００２３】
次いで、表示体の高さ方向の位置を図８（Ｂ）の状態より低く、例えば図８（Ｃ）の状態にしたい場合は次のように操作する。すなわち、図８（Ｂ）の状態の表示用ホルダ１０をＰＯＳレールから取り外す。次いで、ＰＯＳレール装着用部材を取り外し、次いで、前記と同様に、表示体取付け部材１を固定しつつスライド部材２を下から上へ指で押す。この時、突起４が凹部５の上側壁面５１の傾斜に沿って上昇するため、板バネ部材３は後方側へ弾性変形しつつ、突起４と凹部５ｂの係合が外れる（図６及び図７参照）。更に、上方へ押すと、突起４が凹部５ｃに係合する（図８（Ｃ））。この状態において、ＰＯＳレール装着用部材をＰＯＳレールに取り付ければよい。この位置であれば、電子棚札などの表示体の設置位置が、ほぼ陳列棚面と同等の位置若しくはそれより下側にくることになり、陳列商品を隠すことがなく、買い物客には商品がよく見える。
【００２４】
次いで、表示体の高さ方向の位置を図８（Ｃ）の状態より高く、例えば図８（Ｂ）の状態にしたい場合は次のように操作する。すなわち、図８（Ｃ）の状態の表示用ホルダ１０をＰＯＳレールから取り外す。次いで、ＰＯＳレール装着用部材を取り外し、次いで、前記と同様に、表示体取付け部材１を固定しつつスライド部材２を上から下へ指で押す。この時、突起４が凹部５の下側壁面５２の傾斜に沿って上昇するため、板バネ部材３は後方側へ弾性変形しつつ、突起４と凹部５ｃの係合が外れる（図６及び図７参照）。更に、下方へ押すと、突起４が凹部５ｂに係合する（図８（Ｂ））。この状態において、ＰＯＳレール装着用部材をＰＯＳレールに取り付ければよい。以下、更に表示体の位置を高くしたい場合には、同様に操作すればよい。
【００２５】
表示体取付け部材１とスライド部材２で構成される表示用ホルダ１０は、樹脂製であって、厚みが１５ｍｍ以下と薄いため、買い物客に触れて表示方向が変わったり、陳列棚から脱落したりすることがない。
【００２６】
本考案の表示用ホルダにおいて、位置決め箇所は上記３箇所に限定されず、２箇所又は４箇所以上であってもよい。また、本考案の表示用ホルダは前後反転して使用してもよい。すなわち、表示体取付け部材を後側として、これにＰＯＳレール装着用部材を取り付け、スライド部材を前側として、これに表示体を取り付けてもよい。
【００２７】
次ぎに本考案の第２の実施の形態における表示ホルダを図９〜１５を参照して説明する。図９は本実施の形態例の表示ホルダの斜視図、図１０は図９の表示ホルダを裏から見た斜視図、図１１は図９の表示ホルダの分解斜視図、図１２は図１１の表示ホルダの裏から見た分解斜視図、図１３は図９の表示ホルダ（ロック状態）の断面図、図１４はアンロック状態の操作方法を説明する図、図１５は図１４の表示ホルダ（アンロック状態）の断面図をそれぞれ示す。
【００２８】
図９〜図１５において、図１〜図８と同一構成要素には同一符号を付して、その説明を省略し、異なる点について主に説明する。すなわち、第２の実施の形態例の表示ホルダ１０ａにおいて、第１の実施の形態例の表示ホルダ１０と異なる点は、表示体取付け部材において凹部形成基台１６を省略したこと、及びスライド部材の形状を変更された表示体取付け部材１ａの形状に対応させて変更したことである。
【００２９】
すなわち、表示ホルダ１０ａの表示体取付け部材１ａは、板状の本体部１１２の両側に上下方向に延びる係合溝１２を備えた、厚みの薄いケース状物である。また、スライド部材２ａは、板状の本体部１１２と対峙する略板状の本体部２１ａと係合溝１２と係合する鍔部２２ａを備えた薄状物である。そして、表示体取付け部材１ａの板状の本体部１１２には３つの凹部５ｃａ〜５ｃが上下方向に亘って形成されている。また、スライド部材１ａの本体部２１ａには板バネ部材３が形成されている点は、表示ホルダ１０と同様である。
【００３０】
第２の実施の形態例の表示ホルダ１０ａにおいても、取り付け、取り外し及びロックアンロック操作は第１の実施の形態例の表示ホルダ１０と同様であり（図１３〜図１５）、その説明を省略する。
【産業上の利用可能性】
【００３１】
本考案の表示ホルダは、高さ方向に複数段、好適には３段階の位置決めが容易に行え、また、厚みが薄いため、スーパーマーケットなどの商品陳列棚に商品の価格等を表示する電子棚札や表示板を装着するための使用に好適である。
【図面の簡単な説明】
【００３２】
【図１】第１の実施の形態例の表示ホルダの斜視図。
【図２】図１の表示ホルダを裏から見た斜視図。
【図３】図１の表示ホルダの分解斜視図。
【図４】図３の表示ホルダの裏から見た分解斜視図。
【図５】図１の表示ホルダ（ロック状態）の断面図。
【図６】アンロック状態の操作方法を説明する図。
【図７】図６の表示ホルダ（アンロック状態）の断面図。
【図８】（Ａ）はスライド部材が最下位置にある表示ホルダの断面図、（Ｂ）はスライド部材が（Ａ）より上側位置にある表示ホルダの断面図、（Ｃ）はスライド部材が（Ｂ）より上側位置にある表示ホルダの断面図。
【図９】第２の実施の形態例の表示ホルダの斜視図。
【図１０】図９の表示ホルダを裏から見た斜視図。
【図１１】図９の表示ホルダの分解斜視図。
【図１２】図１１の表示ホルダの裏から見た分解斜視図。
【図１３】図９の表示ホルダ（ロック状態）の断面図。
【図１４】アンロック状態の操作方法を説明する図。
【図１５】図１４の表示ホルダ（アンロック状態）の断面図。
【符号の説明】
【００３３】
１  表示体取付け部材
２  スライド部材
３  板バネ部材
４  板バネ部材の突起
５（５ａ〜５ｃ）  凹部
１４、２３  肉抜き（貫通穴）
１０  表示用ホルダ
１１  ケース状物
１２  係止溝
１３  突起
２１  本体部
２２  鍔部
２４  係合構造
【図１】
0003148719.tif 000003
【図２】
0003148719.tif 000004
【図３】
0003148719.tif 000005
【図４】
0003148719.tif 000006
【図５】
0003148719.tif 000007
【図６】
0003148719.tif 000008
【図７】
0003148719.tif 000009
【図８】
0003148719.tif 000010
【図９】
0003148719.tif 000011
【図１０】
0003148719.tif 000012
【図１１】
0003148719.tif 000013
【図１２】
0003148719.tif 000014
【図１３】
0003148719.tif 000015
【図１４】
0003148719.tif 000016
【図１５】
0003148719.tif 000017